(57)【要約】【課題】    安全性が高く、短時間で着脱でき、拳のサイズをほとんど大きくすることがない、拳による攻撃又はそれに対する防御の練習に用いられる武道練習用器具を提供すること。【解決手段】  手で握るためのグリップ部と、使用時に拳を覆う打突部と、前記グリップ部の両端と、前記打突部の両端とをそれぞれ接続する第１及び第２の接続部とを具備し、前記グリップ部、第１及び第２の接続部及び打突部は、グリップ部−第１の接続部−打突部−第２の接続部−グリップ部から成る閉じた環を形成しており、前記打突部は、クッション性部材を含み、前記第１及び第２の接続部は、使用時に前記打突部と拳の間に空隙が形成される長さを有する、拳を用いた攻撃技又は該攻撃技に対する防御技を練習するための武道練習用器具を提供した。【選択図】  図２
2005230024.tif 000002
【特許請求の範囲】
【請求項１】
手で握るためのグリップ部と、使用時に拳を覆う打突部と、前記グリップ部の両端と、前記打突部の両端とをそれぞれ接続する第１及び第２の接続部とを具備し、前記グリップ部、第１及び第２の接続部及び打突部は、グリップ部−第１の接続部−打突部−第２の接続部−グリップ部から成る閉じた環を形成しており、前記打突部は、クッション性材料を含み、前記第１及び第２の接続部は、使用時に前記打突部と拳の間に空隙が形成される長さを有する、拳を用いた攻撃技又は該攻撃技に対する防御技を練習するための武道練習用器具。
【請求項２】
前記第１及び第２の接続部は、打突時に発条の作用を発揮する部材により構成される請求項１記載の武道練習用器具。
【請求項３】
前記武道は、合気道、合気柔術、空手又は拳法である請求項１又は２記載の武道練習用器具。
【発明の詳細な説明】
【技術分野】
【０００１】
本発明は、拳を用いた攻撃技又は該攻撃技に対する防御技を練習するための武道練習用器具に関する。
【背景技術】
【０００２】
従来、合気道では、拳（本明細書において、「拳」とは握り拳の各指の第２関節から第３関節の間に挟まれる領域（関節を含む）又は該領域に含まれる一部を意味し、空手における正拳、ボクシングにおけるナックルパンチ等に用いられる部分を言う）による攻撃に対する防御としては、腹部への打突に対する防御のみを練習しており、顔面ないしは頭部への拳による攻撃に対する防御は練習していない。打突による頭部への攻撃は、手刀により相手の額の中央付近を打突する正面打ち、及び額の側端領域を打突する横面打ちが用いられており、これらに対する防御技が練習されている。
【０００３】
合気道において、拳による顔面への攻撃を練習していない理由は、歴史的な理由によるものと推測される。合気道の源流となった大東流合気柔術は、鎌倉時代に考え出されたものと伝えられており、戦国時代、江戸時代を経て現代に伝えられている。武術は、当然ながらその時代時代において最も実用的なものが求められる。江戸時代には、武士は屋外では帯刀しており、戦国時代のように甲冑を身に着けるということもない。従って、江戸時代には、屋外で最も実用的な武術は剣術であり、このため、江戸時代には剣術は盛んに練習された。しかし、屋内では必ずしも剣を使うことはできなかった。貴人との面会の際には、双刀を預けさせられて丸腰にならされることもしばしばであったし、また、礼儀として、自ら双刀を部屋の入り口に置いて部屋に入ることもあった。したがって、屋内では、武士はしばしば丸腰であった。丸腰で身を守るために実用的な武術は柔術である。このため、江戸時代には、柔術は屋内での護身を主な目的として練習されたと考えられる。一方、江戸時代は、武士が強力な凶器である日本刀を携帯していた時代であり、他人を攻撃するために素手で顔面を打突するというような比較的甘い攻撃を行うことはほとんどなく、他人を攻撃するためには当然、刃物が多用された。刃物を用いることは卑怯であるという考えが出てきたのは明治時代になってからであり、江戸時代では、他人を攻撃するなら刃物を用いるのは当たり前であった。ところが、江戸時代の建物は天井が低く、屋内で大刀を振りかぶることは通常できなかった。このため、大刀は屋内ではそれほど有効な武器ではなく、屋内で最強の武器は脇差であったと考えられる。脇差は、刃渡りが４５ｃｍ程度で、片手で扱うものである。大刀ほどではないにしても、脇差を片手で振った場合でも殺傷力は十分であり、脇差で頭部に切りかかれば致命傷を与えることができる。そして、脇差の場合には、先端が天井につかえるということはなく、全力で振ることができる。このため、屋内における丸腰の武士が護身のために最も警戒しなければならない攻撃は、脇差による攻撃であり、実用性が求められる武術としては、当然、脇差による攻撃に対する防御をよく練習する必要があった。このため、合気柔術では、脇差による正面打ち及び横面打ちを模して手刀による正面打ち、横面打ちを練習してきたものと推測される。すなわち、江戸時代においては、正面打ちや横面打ちに対する防御技を練習することが、極めて実用的な目的に適ったものであったのである。
【０００４】
この江戸時代において重要であった練習が今でも踏襲されている。正面打ちや横面打ちに対する防御技は、ハンマーで殴りかかられた場合等にはそのまま適用することができ、現代においても実用性を有する。しかし、電車や駅等におけるトラブル等で、拳による顔面への打突が原因で落命したり植物状態になったりしたことがしばしば報じられており、現代では、拳による顔面への攻撃に対する防御技をも練習することが護身の上で重要である。
【０００５】
本願発明者は、拳による顔面への打突に対しても、合気道の正面打ち及び横面打ちに対する防御技がそのまま適用できることを見出した。すなわち、顔面へのストレートパンチは、正面打ち一教や横面打ち二教等の正面打ち又は横面打ちに対する防御技がそのまま適用でき、顔面へのフックパンチに対しては、横面打ち二教等の横面打ちに対する防御がそのまま適用できることを実験的に確認した。歴史に残る合気柔術や合気道の達人達が、空手家やボクサーに勝ってこれたのも、このことが一因になっていると推測される。
【０００６】
これらの合気柔術や合気道の巨星達は、正面打ちや横面打ちに対する防御法を十分に練習し、それを応用して空手やボクシングに対処したものと推測されるが、彼らは天才的な才能を持ち、かつ、武道の練習に生涯を捧げた人たちであり、本業を別に持って１週間にせいぜい数時間しか練習しない大多数のアマチュアの凡人とは同列に論じられない。顔面への拳による打突に合気道で対処しようとするのであれば、顔面への拳による打突を実際に行って、それに対する防御法（上記の通り、正面打ち及び横面打ちに対する防御で可能）を反復練習するのが効果的であることは言うまでもない。
【０００７】
しかし、顔面を拳で打つ攻撃は危険を伴う。歯が折れたり、鼻が折れたり、失明したりする恐れがあり、また、脳の内部に衝撃が伝わって脳内出血等を起こす恐れもあり、危険である。このような危険を避けるために、打撃系の武道やボクシング等では、グローブが用いられている。しかし、合気道の練習にグローブを用いることは非現実的である。合気道の練習は、受け（攻撃を仕掛け、合気道の技を掛けられて負ける役の人）と取り（仕掛けられた攻撃に対して合気道の技を掛け、勝つ役の人）が交互に技を掛けあうことにより進められるが、グローブの着脱には、かなりの時間がかかり、非効率的である。また、グローブをはめると拳の大きさが素手の場合よりもはるかに大きくなってしまう。相手の重心と自分の重心が離れすぎると技がかけにくくなるので、攻撃は紙一重のところでかわすのが理想的であると言われている。グローブを着用すると、拳がはるかに大きくなるため、紙一重で拳をかわすような練習はできなくなる。また、合気道には、相手の手首の関節を攻める関節技が多いが、それらのほとんどは相手の手をつかむ動作を含む。しかし、相手がグローブをしていたら、相手の手をつかんで手首を極めるというような技は不可能である。さらに、ボクシング等で、時々死者が出ることからも明らかなように、グローブの安全性は必ずしも高くはない。グローブの安全性を高めようとすれば、クッション性の材料を大量にグローブに充填する必要があり、グローブがますます大型化し、上記した拳の大型化による問題がますます助長される。また、一部の空手で行われているように、寸止めを行うということも考えられるが、寸止めは技術的に難しく、また、力学の法則から明らかな通り、寸止めを行うためにはそれよりもかなり前から負の加速度を与えて減速しなければならず、初めから寸止めしようとして打つ突きと、当てようとして打つ突きとではスピードが異なるため、寸止めで実戦的な練習を行うことは困難である。
【０００８】
【特許文献１】登録実用新案第３０８６９３７号
【発明の開示】
【発明が解決しようとする課題】
【０００９】
従って、本発明の目的は、安全性が高く、短時間で着脱でき、拳のサイズをほとんど大きくすることがない、拳による攻撃又はそれに対する防御の練習に用いられる武道練習用器具を提供することである。
【課題を解決するための手段】
【００１０】
本発明は、手で握るためのグリップ部と、使用時に拳を覆う打突部と、前記グリップ部の両端と、前記打突部の両端とをそれぞれ接続する第１及び第２の接続部とを具備し、前記グリップ部、第１及び第２の接続部及び打突部は、グリップ部−第１の接続部−打突部−第２の接続部−グリップ部から成る閉じた環を形成しており、前記打突部は、クッション性部材を含み、前記第１及び第２の接続部は、使用時に前記打突部と拳の間に空隙が形成される長さを有する、拳を用いた攻撃技又は該攻撃技に対する防御技を練習するための武道練習用器具を提供する。
【発明の効果】
【００１１】
本発明の武道練習用器具は、グリップ部を握るだけで装着できるので、着脱を瞬時に行うことができる。また、打突部自体がクッション性を有するのみならず、打突部と拳の間に空隙があるので、拳の衝撃が直接打突部に伝わらず、接続部を通じて間接的に伝わるので、衝撃が弱く、安全性が高い（打突された者のみならず、打突する者の拳の安全性も高い）。さらに、打突部の大きさを拳と同程度に設定すれば、器具を装着しても拳の大きさはほとんど変わらない。
【発明を実施するための最良の形態】
【００１２】
本発明の武道練習用器具は、拳を用いた攻撃技又は該攻撃技に対する防御技を練習するために用いられるものであり、拳を用いた攻撃技又は該攻撃技に対する防御技を練習するいずれの武道、武術、格闘技も包含される。なお、本明細書において、「武道」という語は、合気道や空手道のように名称の末尾に「道」と付くものならず、武術及び格闘技（外国の格闘技も含む）をも包含する意味で用いている。典型的な例としては、合気道、合気柔術、空手及び拳法等を挙げることができるがこれらに限定されるものではない。
【００１３】
以下、図面に基づいて本発明の好ましい具体例を説明する。図１は、本発明の練習器具の好ましい１例の平面図である。本発明の練習器具１０は、手で握るためのグリップ部１２と、使用時に拳を覆う打突部１４と、前記グリップ部の両端と、前記打突部の両端とをそれぞれ接続する第１及び第２の接続部１６、１８とを具備する。前記グリップ部１２、第１及び第２の接続部１６、１８及び打突部１４は、グリップ部１２−第１の接続部１６−打突部１４−第２の接続部１８−グリップ部１２から成る閉じた環を形成している。なお、ここで「環」とは、円形のみを意味するものではなく、グリップ部１２−第１の接続部１６−打突部１４−第２の接続部１８−グリップ部１２とたどってもとのグリップ部１２まで戻ってこれること（すなわち閉じていること）を意味し、その形状は、図示のように略長方形状等であってもよい。
【００１４】
グリップ部１２の形状は、特に限定されず、単なる円柱状等でもよいが、握りやすいように、ダンベルのグリップ部のような、中央部が少し膨らんだ形状が好ましい。
【００１５】
打突部１４は、クッション性材料を含み、打突の際の衝撃を吸収する。クッション性材料の例としては、フェルトやゴム等を挙げることができ、これらを天然皮革又は合成皮革等の耐久性のあるシートから成る袋の中に充填したものを挙げることができる。
【００１６】
第１及び第２の接続部１６、１８は、前記グリップ部１２と打突部１４とを接続するものであり、十分な強度を有するプラスチック（例えば繊維強化プラスチック（短繊維強化複合材料を包含する）等）や金属で構成することができる。特に、前記第１及び第２の接続部は、打突時に弾性変形して（撓んで）発条（板ばね）の作用を発揮する部材で構成することが好ましく、繊維強化プラスチックのマトリックス樹脂に、少量の可塑剤を含むポリオレフィン系樹脂を採用したものや、スチール、アルミニウム合金等の金属を用いることができる。第１及び第２の接続部の形状は、略円柱状であっても、扁平な形状であってもよい。
【００１７】
強度の観点から、グリップ部１２、第１の接続部１６、打突部１４の芯及び第２の接続部１８を単一の部材で形成し、打突部には、これを芯として、クッション性材料で芯を被覆することにより形成することが好ましい。
【００１８】
使用時には、図２に模式的に示すように、打突部１４とグリップ部１２の間に４指を挿入してグリップ部１２を手２０で握る。そうすると、打突部１４により拳が覆われる（ただし、接触はしない）。第１及び第２の接続部１６、１８の長さは、このようにして握った際に打突部１４が拳に接触しない長さに設定される。また、器具の幅Ｗは、拳の幅（拳を上から見た場合に最も大きい幅（親指を含まない））より余り大きくならないことが好ましく、拳の幅の1.0倍ないし1.5倍、さらに好ましくは1.0倍ないし1.3倍の範囲にあることが好ましい。また、打突部１４を正面から見た場合の形状及びサイズは、拳の形状及びサイズとできるだけ同じにすることが好ましい。
【００１９】
本発明の練習器具を使用して武道の練習を行う場合、練習器具は、単にグリップ部を握るだけで装着できるので、器具の着脱は瞬時に行うことができ、効率的な練習が可能になる。また、万一、実際の打突が起きた場合、打突部１４のクッション性材料により衝撃が吸収され、また、好ましい態様ではさらに、第１及び第２の接続部１６、１８の発条の作用が加わってさらに衝撃が吸収されるので、打突された者も打突したものも両者とも安全である。特に、本発明の器具では、装着時に拳２０と打突部１４とが接触していない（打突時に弱く接触することはかまわない）ので、拳２０の衝撃が直接伝わらずグローブと比較してより安全性が高い。さらに、器具のサイズを拳よりもそれほど大きくならないように設定できるので、グローブの場合のように拳の肥大化の問題もほとんど生じない。また、手は素手のまま露出しているので、合気道の手首の関節技を容易に掛けることができる。よって、本発明の器具を用いることにより、拳による攻撃やそれに対する防御技を、安全に効率良く練習することができる。
【図面の簡単な説明】
【００２０】
【図１】本発明の武道練習器具の好ましい具体例の模式平面図である。
【図２】図１に示す具体例を装着した状態を示す模式平面図である。
【符号の説明】
【００２１】
１０  武道練習器具
１２  グリップ部
１４  打突部
１６  第１の接続部
１８  第２の接続部
２０  拳
【図１】
2005230024.tif 000003
【図２】
2005230024.tif 000004